(57)【特許請求の範囲】
【請求項１】
壁紙糊付機に糊を供給する壁紙糊付機用糊供給装置において、該糊供給装置は糊供給用ポンプと糊攪拌機の両機能を備え、
糊供給用ポンプと糊攪拌機の動力として一つの駆動源を使用し、
テンションプーリの位置を可変とする構造を有し、
上記テンションプーリは把手を設けたＬ字型の支持腕に設けられた軸に回転自在に軸支され、上記把手を水平方向に移動することにより駆動源からの動力の伝達をテンションプーリによってベルトの張力を変化させ、
把手を所定の動作位置にするために、止め具に設けた孔に把手の軸部先端を挿入して固定するロック構造を有し、
糊供給用ポンプ側に駆動源側の動力伝達のためのベルトの張力を与え、糊供給のための回転方向とは逆方向に回転するように駆動源を作動させることにより、糊供給の吐出口から糊を吸引させることができ、
任意に糊供給用ポンプまたは糊攪拌機のいずれかに駆動の伝達を切り替え可能とすることを特徴とする壁紙糊付機用糊供給装置。
【請求項２】
糊供給ポンプと糊攪拌機のどちらにもベルトの張力を与えられない位置にテンションプーリがあるときには、どちらにも駆動源から動力伝達しないことを特徴とする請求項１記載の壁紙糊付機用糊供給装置。
【発明の詳細な説明】
【０００１】
【産業上の利用分野】
壁紙を貼付する際に使用される壁紙糊付機に糊を攪拌して供給する装置を必要とする分野に利用されるものである。
【０００２】
【従来の技術】
壁紙糊付機用の糊供給ポンプとして、糊を供給するだけのものとしては実開昭５９−１５４７３７や実用新案登録第３０３３９３２号等が知られている。該ポンプの種類についての記載はないが、市場にでている壁紙糊付機用の糊供給ポンプであるベーンポンプが使われていることは実公昭６２−３６４３２にあるようによく知られている。
【０００３】
また、攪拌機能を有する壁紙糊付機用糊供給装置についても実開平６−１１８６５に開示されているが、動力として、容器の底に一台のモータが取り付いており、攪拌用、供給用に歯車を介して伝達される。
【０００４】
このように壁紙糊付機用糊供給装置にはベーンポンプがよく使われているが、糊の粘性が高いために壊れることがあった。例えば長年使用していると、粘度の高い糊がポンプ内のベーンの動きを阻害し糊が出なくなったり、ベーンが糊で固着され動かなくなりポンプが破損し、ポンプから糊が漏れる等の故障が起こる等の不具合があった。
【０００５】
一方、比較的粘性のある液状物の送給にはトロコイドポンプが使用される。油圧ポンプはその例である。耐久性はすぐれているが金属製のため耐食性が悪いために、耐食を要求される場合には、インナロータ、アウタロータ及びポンプケース等の主要部品の表面に樹脂コーティングを施して使用していた。このために耐食性は増すが、高価となるきらいがあった。
【０００６】
トロコイドポンプの材料として耐食性に優れる合成樹脂を使用し、糊の粘性に充分耐えうる強度を有するよう製作することにより上記の問題は解決している。
【０００７】
また、トロコイドポンプのインナロータ、アウタロータ及びポンプケースを合成樹脂で製作すると、回転による摩擦熱で合成樹脂が熱膨張し、部材同志が固着する現象があらわれる。この現象を防ぐために、合成樹脂製の各部品の熱膨張量を予測してこれに見合った適当量の隙間を部品間に設けている。
【０００８】
具体的には、アウタロータとポンプケースの接する部分に適当量の隙間を設けている。インナロータとアウタロータは共に糊と接触し、両者の温度条件は等しく熱膨張はほぼ同じであるので熱膨張を考慮した隙間を両者の間に設ける必要はない。
【０００９】
壁紙糊付機への糊供給ポンプのみの用途の場合は、糊を予め水と混合しておき壁紙糊付機に適した粘度に調整しておく必要がある。これに応じて考案されたものが実開平６−１１８６５で図示の糊供給機である。ポンプ内で故障が起きたときは、ポンプから糊が漏れ動力のモータに糊が付着したりして、電器的に短絡を起こし故障することもある。トロコイドポンプは糊の付着は起こりえないのでモータまで故障することはない。
【００１０】
攪拌機能を有し且つ壁紙糊付機へ糊を供給する装置については更に特願２００１−３７７０６に開示されているが、信頼度の高いポンプの採用を特徴として、一台のモーターで駆動伝達として歯車を使用して攪拌、供給及び吸込みが可能としたものである。
【００１１】
【発明が解決しようとする課題】
従来技術については以上に述べた通りであるが、糊供給装置内の駆動伝達を歯車を組み合わせて行っているために歯車同志の接触音が発生する。糊供給装置や壁紙糊付機の操作者及び周囲への騒音源となる可能性があるので、より静かなものに糊供給装置を改善する必要がある。また歯車による駆動伝達方式では動作中に伝達切替レバーを不如意に押した場合に、例えば供給動作状態が急に攪拌動作に変わる可能性が有る。
【００１２】
逆に攪拌中にレバーに不意にぶつかったりしてしまい、供給となり、そのために施工現場に糊をこぼしてしまうということも発生したりもしていた。また、切り替え部分のレバーに何かのはずみで当たったりした場合、歯車の噛み合わせがきっちりと噛み合わない状態になったりして、歯車の先を傷めたり、歯車の刃先を損傷させてしまうというようなことも発生してしまっていた。新築の大きな現場では、内装施工が行われるような部屋が資材置き場になったりすることが多く、そのためそのような不慮の事故的なケースが発生したりしていた。以上の課題を改善する必要がある。
【００１３】
【課題を解決するための手段】
前述の課題を解決するために、請求項１にかかる発明は、壁紙糊付機に糊を供給する壁紙糊付機用糊供給装置において、該糊供給装置は糊供給用ポンプと糊攪拌機の両機能を備え、糊供給用ポンプと糊攪拌機の動力として一つの駆動源を使用し、テンションプーリの位置を可変とする構造を有し、上記テンションプーリは把手を設けたＬ字型の支持腕に設けられた軸に回転自在に軸支され、上記把手を水平方向に移動することにより駆動源からの動力の伝達をテンションプーリによってベルトの張力を変化させ、把手を所定の動作位置にするために、止め具に設けた孔に把手の軸部先端を挿入して固定するロック構造を有し、糊供給用ポンプ側に駆動源側の動力伝達のためのベルトの張力を与え、糊供給のための回転方向とは逆方向に回転するように駆動源を作動させることにより、糊供給の吐出口から糊を吸引させることができ、任意に糊供給用ポンプまたは糊攪拌機のいずれかに駆動の伝達を切り替え可能とすることを特徴とする壁紙糊付機用糊供給装置である。
【００１４】
装置全体を軽量にし、消費エネルギーを少なくするために、糊供給ポンプと糊攪拌機の両機能を備えながら動力としての駆動源を一つにし、動力伝達のための手段として騒音発生の少ないベルト等を使用し、人力により位置可変のテンションプーリを移動し攪拌器駆動用又はポンプ駆動用のベルトに張力を与え糊攪拌機を又は糊供給用ポンプを駆動するのである。
【００１５】
また、糊供給用ポンプ側に駆動源側の動力伝達のためのベルトの張力を与える際に、糊供給のための回転方向とは逆方向に回転するように駆動源を作動させることにより、糊供給の吐出口から糊を吸引させることを特徴とする。
【００１６】
すなわち、壁紙糊付機に供給した糊を再び糊供給装置側へ戻すことができるようにしたものである。モータの回転を正回転から逆回転に変更してトロコイドポンプを逆回転させると吐出から吸引に変わり、壁紙糊付機に残っている糊を糊供給装置の方へ戻すことができるのである。当然ではあるが、再びモータの回転方向を変えて供給装置の糊を糊付機側へ供給することも可能である。
【００１７】
請求項２に係る発明は、糊供給ポンプと糊攪拌機のどちらにもベルトの張力を与えられない位置にテンションプーリがあるときには、どちらにも駆動源から動力伝達しないことを特徴とする請求項１記載の壁紙糊付機用糊供給装置である。
【００１８】
本発明装置が動作中に不如意に身体の一部がテンションプーリの操作用把手を押したりした場合に、例えば糊供給ポンプが動作中にテンションプーリが糊供給ポンプ用ベルトから離れていきなり糊攪拌機駆動用のベルト側へ移動してもベルトに反撥されてテンションを与えるまでには至らない。
【００１９】
【発明の実施の形態】
本発明の壁紙糊用供給装置の構成について図１により説明する。１は壁紙糊付機用糊供給装置、６は糊Ａの容器、４は攪拌羽根、３は攪拌及び糊供給用トロコイドポンプの駆動のモータ、８は容器６からの糊供給用吐出口管であり、容器６の底部に貫通して取り付けられている。７は機器類のハウジングを兼ねた台、９は支持板でありモータ３、トロコイドポンプ２及びこれらの軸等を固定又は支持している。支持板９は上下２段に別れている。上段と下段の支持板９、下段の支持板９と容器６の底部は台７の頂板部を貫通して鞘ボルトで結合固定されている。１８は供給装置本体移動用のキャスタである。
【００２０】
モータ３の動力を攪拌羽根４またはトロコイドポンプ２に任意に変更して伝達するために、モータ３の軸３１にプーリ３２とプーリ３２’が固定されている。実際には一体であるが駆動伝達をわかり易くするために下部をプーリ３２上部をプーリ３２’と称する。また軸３３に回転自在に軸支されて、図２平面図に示す略Ｌ字型の支持腕１９の把手１０の反対側の端に下方に向けて具備された軸５１に回転自在に軸支されてテンションプーリ５が設けられている。軸３３はプーリ３２，３２’と一体となっており、ベアリング３４を介して支持腕１９の回動軸となっている。テンションプーリ５は略Ｌ字の支持腕１９の端にある把手１０を水平方向に移動することにより軸３３を中心に回動する。
【００２１】
また、把手１０を所定の動作位置にセットするための把手１０の止め具７１，７２が攪拌機用とトロコイドポンプ用に板状金物（図示せず）を介して支持板９に固定されている。止め具７１，７２の孔７４，７５に把手付きの軸部先端７３を挿入して支持腕１９の回動を固定するロック構造となつている。把手を軸方向に引いて止め具７１，７２の孔から抜く。その位置で手を離すと把手付きのコイルバネ（図示せず）に付勢されて孔７４，７５に入り固定される。このように攪拌位置、糊の供給位置で把手１０が固定されてテンションプーリ５がベルト６１、６２のいずれかにテンションをかけた状態で動作できるのである。
【００２２】
また、攪拌羽根４の軸４１にプーリ４３が設けられ、同じようにトロコイドポンプ２の軸２１にプーリ２２が設けられている。
【００２３】
モータ軸３１のプーリ３２とトロコイドポンプの軸２１のプーリ２２は駆動伝達のベルト６２、モータ軸３１のプーリ３２’と攪拌羽根用のプーリ４３はベルト６１で繋がっている。ベルト６１、ベルト６２は本装置の把手１０がトロコイドポンプや攪拌羽根の駆動位置にないときは緩くプーリ間を取り巻いているのでモータ３が回転していてもプーリ３２、３２’が空回りしてプーリ４３及びプーリ２２に駆動伝達されない。このベルト６１、６２はテンションが掛かると延びるような材質、例えば合成ゴム等である。以上が本発明装置の構成である。
【００２４】
モータ３はトロコイドポンプ２の吐出と吸い込み両機能に備えるため、正逆両方向の回転切替が可能にスイッチの回路（図示せず）が組まれている。攪拌羽根４はブレードの向き（図１（ｂ）参照）に適合させて一方向のみに回転するようにしてもよく、またどちらに回転させてもいい攪拌羽根を使用すれば攪拌中に逆回転させるようにしてもよい。
【００２５】
トロコイドポンプ２は図３に示すようにインナロータ２ａとアウタロータ２ｂとポンプケース２ｃと軸２１と糊入り口２ｄと糊出口２ｅから主要部は構成されている。部材は耐食性の高いことを必要とするため先述の主要部の材質は合成樹脂としている。例えばインナロータ２ａとアウタロータ２ｂおよびアウタロータ２ｂの外周面と接する部分のポンプケース２ｃにはポリアセタール樹脂等を採用している。
【００２６】
本発明の装置を使って糊Ａを攪拌して壁紙糊付機５０に供給する動作について説明する。澱粉糊と水をそれぞれ所定の配分にして容器６に入れ、把手１０を牽いて１０’の位置とし、テンションプーリ５を図２の二点鎖線の位置に移動させて攪拌羽根４の駆動伝達用のベルト６１に押しつけてベルト６１にテンションを与える。モータ３のスイッチ（図示せず）を「攪拌ＯＮ」にするとモータ３が回転しモータ３と同軸のプーリ３２が回転し，ベルト６２により伝達され，プーリ４３により伝達されて攪拌羽根４が回転して糊が攪拌される。
【００２７】
容器内の糊Ａが壁紙施工用として適した状態に攪拌された時点でモータ３を一旦止める。攪拌羽根４の駆動用のベルト６１を押しつけているテンションプーリ５（位置は図２の二点鎖線の位置）を把手１０を回動させ図２の実線の位置に移動してトロコイドポンプ２を駆動するための伝達用のベルト６２に押し付け、ベルト６２にテンションを与える。再びモータ３のスイッチを「ポンプ吐出」にするとトロコイドポンプ２が始動し、容器内の糊Ａを入り口２ｄより吸入し出口２ｅとホース５２を通して壁紙糊付機５０の糊箱５３に供給する。
【００２８】
また、モータ３の回転を供給時とは逆方向にすることで、壁紙糊付機５０の糊箱５３に残った糊を糊供給装置１の容器６へ戻すことが可能である。操作は、テンションプーリ５を図２の実線の位置のままでベルト６２にテンションを与えた状態で、モータ３のスイッチを「ポンプ吸込」にセツトすればよいのである。
【００２９】
以上の説明は水と糊粉の攪拌から糊の供給及び吸入までのことであるが、ペースト状の糊の原液に水を加えて容器６に入れて、攪拌機４で攪拌したり、既に壁紙施工に使用可能な糊Ａになっているものを容器６に入れトロコイドポンプ２により、壁紙糊付機５０に供給することも当然のことながら可能である。同様に吸引だけの使用も可能である。また、攪拌機４で糊Ａを攪拌溶解する作業の場合はモータ３の回転方向は正逆いずれでも可能である。
【００３０】
【発明の効果】
壁紙糊付機用糊供給装置の駆動の伝達をベルトのテンションを利用して行うことにより糊の攪拌、糊付装置への供給及び糊付け装置からの吸入の何れの動作においても糊供給装置から発生する騒音は非常に小さくなった。例えば駆動の伝達が歯車により行われている場合に比べて、各種動作毎にばらつきはあるが、１０〜２０ｄｂ低くなっていることが騒音計測の結果確認された。駆動伝達のベルト採用による騒音の低減効果は大きい。
【００３１】
攪拌後の糊の壁紙糊付機の糊箱への供給と糊箱に残った糊の吸出を、同一ポンプでモータの回転方向を切り替えるスィッチ操作だけで、容易に行うことが可能となった。
【００３２】
また、或る動作中に、不意に把手にぶつかったりしてしまい、所定外の動作に変わってしまうようなトラブルも発生しなくなる。また、従来の駆動伝達を歯車によっていた場合は、把手に当たった時の衝撃で歯車が噛み合わなくなったり、歯車の先を傷めるてしまったりしていたがテンションプーリでベルトにテンションを与えて駆動するようにしているため不慮のトラブルに対しての心配もなくなった。
【図面の簡単な説明】
【図１】本発明装置の全体構成を示す図で攪拌器部の縦断面図（ａ）、攪拌羽根の平面図（ｂ）及びモータとトロコイドポンプ部の縦断面図（ｃ）
【図２】本発明装置の駆動伝達部の水平断面図
【図３】実施例のトロコイドポンプの縦断面図（ａ）および平断面図（ｂ）
【図４】本発明の壁紙糊付機用糊供給装置から壁紙糊付機への糊の供給を示す図
【符号の説明】
Ａ  糊
１  壁紙糊付機用糊供給装置
２  トロコイドポンプ
２ａ  インナロータ
２ｂ  アウタロータ
２ｃ  ポンプケース
２ｄ  入口
２ｅ  出口
３  モータ
４  攪拌器
５  テンションプーリ
６  容器
７  台
８  吐出口管
９  支持板
１０  把手
１８  キャスタ
１９  支持腕
２１  軸
２２  プーリ
３１  軸
３２、３２’ プーリ
３３  軸
４１  軸
４３  プーリ
５０  壁紙糊付機
５１  軸
５２  ホース
５３  糊箱
６１  ベルト
６２  ベルト
【図１】
0004725828.tif 000002
【図２】
0004725828.tif 000003
【図３】
0004725828.tif 000004
【図４】
0004725828.tif 000005